(57)【要約】【課題】構造の複雑化が避けられ、設置の自由度を確保できるとともに設置スペースの増大も回避できる遊技機の可動表示機構の駆動装置を提供する。【解決手段】遊技機Ｅのギミック１の可動部１１〜１５にそれぞれ連結される従動シリンダ３１〜３５と、従動シリンダ３１〜３５に対応して設けられたピストン部材５１〜５５と、ピストン部材５１〜５５とこれに対応する従動シリンダ３１〜３５の間を連通させ、内部に流体を保持した管体４１〜４５と、ピストン部材５１〜５５を所定のタイミングで作動させて、対応する従動シリンダ３１〜３５を管体４１〜４５内の流体を介して作動させる駆動機構５と、を備える。【選択図】        図３
2019034061.tif 000002
【特許請求の範囲】
【請求項１】
遊技機の可動表示機構の少なくとも一つの可動部にそれぞれ連結される少なくとも一つの従動部材と、前記従動部材に対応して設けられた少なくとも一つのピストン部材と、前記ピストン部材とこれに対応する前記従動部材の間を連通させ、内部に流体を保持した少なくとも一つの管体と、前記ピストン部材を所定のタイミングで作動させて、対応する前記従動部材を前記管体内の流体を介して作動させる駆動手段と、を備える遊技機の可動表示機構の駆動装置。
【請求項２】
前記駆動手段は、単一の回転駆動部と、当該回転駆動部によって回転させられる回転軸と、当該回転軸の軸方向の所定位置で前記ピストン部材に対応して前記回転軸の外周の所定の回転角度位置に配設された複数の連動部材とを備え、前記回転軸の回転に伴って前記各連動部材がこれに対応する前記ピストン部材を前記所定のタイミングで作動させるようになっている請求項１に記載の遊技機の可動表示機構の駆動装置。
【請求項３】
前記管体は可撓性材料で構成されている請求項１又は２に記載の遊技機の可動表示機構の駆動装置。
【発明の詳細な説明】
【技術分野】
【０００１】
本発明は遊技機の可動表示機構の駆動装置に関し、特にギミック等の駆動に適した駆動装置に関するものである。
【背景技術】
【０００２】
遊技機の可動体を駆動する装置として、例えば特許文献１には、モータやシリンダ等の駆動手段の駆動力を歯車やワイヤによって可動体に伝達するものが示されている。
【先行技術文献】
【特許文献】
【０００３】
【特許文献１】特開２００７−８２５８３
【発明の概要】
【発明が解決しようとする課題】
【０００４】
しかし、歯車を使用した場合には、位置的に離れた可動体を駆動しようとすると歯車とラックを組み合わせる必要がある等、構造が複雑化し、設置の自由度が制限されるとともに設置スペースも必要とする。一方、ワイヤを使用した場合には、ワイヤの方向を変える毎にこれを懸架するプーリが必要で、この場合も構造の複雑化が避けられず、設置の自由度が損なわれ設置スペースが増大するという問題も生じる。
【０００５】
そこで、本発明はこのような課題を解決するもので、構造の複雑化が避けられ、設置の自由度を確保できるとともに設置スペースの増大も回避できる遊技機の可動表示機構の駆動装置を提供することを目的とする。
【課題を解決するための手段】
【０００６】
上記課題を解決するために、本第１発明では、遊技機（Ｅ）の可動表示機構（１）の少なくとも一つの可動部（１１〜１５）にそれぞれ連結される少なくとも一つの従動部材（３１〜３５）と、前記従動部材（３１〜３５）に対応して設けられた少なくとも一つのピストン部材（５１〜５５）と、前記ピストン部材（５１〜５５）とこれに対応する前記従動部材（３１〜３５）の間を連通させ、内部に流体を保持した少なくとも一つの管体（４１〜４５）と、前記ピストン部材（５１〜５５）を所定のタイミングで作動させて、対応する前記従動部材（３１〜３５）を前記管体（４１〜４５）内の流体を介して作動させる駆動手段（５）と、を備える。
【０００７】
本第１発明においては、ピストン部材と従動部材を管体で連結して、ピストン部材の動きを内部流体を介して伝えるようにしているから、従来のように歯車とラックやワイヤ等を使用した場合に比して、構造が簡易になり、設置スペースも小さくすることができる。
【０００８】
本第２発明では、前記駆動手段（５）は、単一の回転駆動部（６４）と、当該回転駆動部（６４）によって回転させられる回転軸（５８）と、当該回転軸（５８）の軸方向の所定位置で前記ピストン部材（５１〜５５）に対応して前記回転軸（５８）の外周の所定の回転角度位置に配設された複数の連動部材（５９）とを備え、前記回転軸（５８）の回転に伴って前記各連動部材（５９）がこれに対応する前記ピストン部材（５１〜５５）を前記所定のタイミングで作動させるようになっている。
【０００９】
本第２発明においては、単一の回転駆動部で複数のピストン部材を作動させることができるから、構造をより簡易なものにでき、これに伴って設置スペースも削減できる。
【００１０】
本第３発明では、前記管体（４１〜４５）は可撓性材料で構成されている。
【００１１】
本第３発明によれば、管体を可撓性材料とすることで空きスペースを有効に活用でき、配置の自由度が向上する。
【００１２】
上記カッコ内の符号は、後述する実施形態に記載の具体的手段との対応関係を参考的に示すものである。
【発明の効果】
【００１３】
以上のように、本発明の遊技機の可動表示機構の駆動装置によれば、構造の複雑化が避けられ、設置の自由度を確保できるとともに設置スペースの増大も回避することができる。
【図面の簡単な説明】
【００１４】
【図１】可動表示機構であるギミックを設けたパチンコ遊技機の全体正面図である。
【図２】ギミックを正面から見た斜視図である。
【図３】ギミックを側方から見た斜視図である。
【図４】ギミックを上方から見た斜視図である。
【図５】ギミックに設けられた従動シリンダの配置図である。
【図６】駆動機構の部分断面平面図である
【図７】作動時のギミックを正面から見た斜視図である。
【図８】作動時のギミックを上方から見た斜視図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
図１にはパチンコ遊技機Ｅの正面図を示す。当該遊技機Ｅの前扉Ｅ１の後方の本体枠上半に設けられた遊技領域Ｅ２には略矩形の表示器Ｅ３が設けられており、当該表示器Ｅ３の前方中央に可動表示機構としての人型ギミック１が位置している。当該ギミック１は後述する基台２（図２参照）上に設けられており、基台２は図略の移動手段によって必要時に図１に示す表示器Ｅ３の前方中央位置へ進出させられる。人型ギミック１および基台２は通常は表示器Ｅ３の画面外の退避位置に後退させられている。
【００１７】
図２にはギミック１を正面から見た斜視図を示し、図３にはギミック１を側方から見た斜視図を示す。また、図４にはギミック１を上方から見た斜視図を示す。ギミック１は可動部である身体部１１、左右の腕部１２，１３および左右の脚部１４，１５から構成されている。身体部１１はその背後が、基台２上に設けた支持架台２１（図３）の上端から水平に延びる支持軸２２に回動（傾動）可能に連結されている。身体部１１の上端両側にはそれぞれ左右の腕部１２，１３が前後方向へ回動（揺動）可能に結合されている。
【００１８】
各腕部１２，１３は上腕部に対して下腕部が屈曲している。そして、腕部１３では上腕部１３１（図４）と下腕部１３２がばね部材１３３を介して連結されている。このような構造により、上腕部１３１の前後揺動につれて下腕部１３２はばね力で振動的に興趣のある動きをする。身体部１１の下端両側からは下方へ左右の脚部１４，１５が伸び、各脚部１４，１５は、上記腕部１２，１３と同じく上脚部と下脚部とに分かれており、途中で回動軸部により連結されて、回動可能に折れ曲がっている。
【００１９】
ギミック１の背後には図５に示すように、従動部材としての複数の従動シリンダ３１〜３５が設けられている。これら従動シリンダ３１〜３５は身体部の傾動用３１、左右の腕部の回動用３２，３３、左右の脚部の回動用３４，３５の５つが設けられており、それぞれ内部に公知の構造で従動ピストンが内設されている。
【００２０】
身体部傾動用の従動シリンダ３１は基台２に上方へ向けて設けられて、その従動ピストンがリンク板３６（図３）によって上方の身体部１１背後に連結されている。また、左右の腕部回動用、左右の脚部回動用の各従動シリンダ３２〜３５の従動ピストンはそれぞれ腕部１２，１３および脚部１４，１５の基端に直接連結されている。
【００２１】
各従動シリンダ３１〜３５にはそれぞれ管体４１〜４５（図４、但し管体４１は図示略）の一端が連結されている。これら管体４１〜４５は本実施形態では可撓性の樹脂チューブで構成されており、管体４１〜４５の他端は遊技機の本体枠に設けられた駆動手段たる駆動機構５（図６参照）に至っている。駆動機構５の一例を図６に示す。  
【００２２】
図６において、駆動機構５には上記各従動シリンダ３１〜３５に対応して５つのピストン部材５１〜５５が設けられている。ピストン部材５１〜５５は互いに平行に配設されて、各ピストン部材５１〜５５のシリンダ筒の一端に上記各従動シリンダ３１〜３５から至った管体４１〜４５が連結されている。シリンダ筒の他端にはピストン片５６が挿入されており、これらピストン片５６はシリンダ筒内に配設したばね部材５７によって進出状態に保持されている。
【００２３】
ピストン片５６を設けた側にピストン部材５１〜５５と直交する方向へ延びる一本の回転軸５８が配設されており、回転軸５８の外周にはそれぞれピストン部材５１〜５５に対応させて軸方向の所定位置に連動部材としてのカム片５９が突設されている。カム片５９は同一突出長で回転軸５８の周方向の異なる回転角度位置に設けられている。
【００２４】
図６に示す回転軸５８の回転位置では、カム片５９がピストン部材５５のピストン片５６に当接してこれを大きくシリンダ筒内へ押し込んでいる。ピストン部材５４のピストン片５６はカム片５９によってシリンダ筒内へやや押し込まれている。他のピストン部材５１〜５３のピストン片５６にはカム片５９は当接しておらず、上記進出状態（初期位置）に位置している。
【００２５】
回転軸５８は両端が軸受部材５８１によって支持され、その一端には歯車６１が装着されて、これは歯車６２に噛合している。歯車６２には一体にプーリ６３が設けられており、プーリ６３は回転駆動部としての回転駆動モータ６４の出力軸に設けたプーリ６５にベルト６６で連結されている。
【００２６】
このような構造において、ギミック１が表示器Ｅ３の中央に進出させられると、回転駆動モータ６４によって回転軸５８が回転させられ、所定のタイミングでカム片５９が各ピストン部材５１〜５５のピストン片５６に当接する。カム片５９が当接してピストン片５６が押し込まれると、これに応じてシリンダ筒内から管体４１〜４５内へ空気が押し出され、管体４１〜４５内の空気を介して各ピストン部材５１〜５５に対応した従動シリンダ３１〜３５内の従動ピストンが作動させられる。
【００２７】
これにより、ギミック１の身体部１１が例えば図２に示す状態から図７に示す状態へ傾動させられ、また図４に示す状態から図８に示す状態へ左右の腕部１２，１３が揺動させられ、あるいは左右の脚部１４，１５が揺動させられる。身体部１１や腕部１２，１３、脚部１４，１５の戻り揺動は各部自身の自重や、各部が揺動することで発生する慣性力の作用等により、特に規則性を有さず自由度を持って行われる。このようにしてギミック１がコミカルな動きを行って遊技者の興趣が喚起される。
【００２８】
ここで、本実施形態では、管体４１〜４５内の空気による従動シリンダ３１〜３５内の従動ピストンの作動は、ピストン片５６による管体４１〜４５内の空気の押し出しのみで行われる。ピストン片５６はばね部材５７の付勢力により上記初期位置に戻されるが、これによって管体４１〜４５内の空気の戻り移動（吸引作用）は特に発生しない。
すなわち、ピストン部材５１〜５５、管体４１〜４５、従動シリンダ３１〜３５の各連結部には空気が適宜抜ける若干の空隙が形成されており、ピストン片５６の初期位置への移動によって空気の吸引作用（吸引動作）が発生するほどの高い密閉性を付与していない。これにより、高い加工精度を必要とせず、簡易な構造によってギミック１に対し意外性のあるコミカルな動きをさせることが可能である。
もちろん管体４１〜４５内の空気（あるいは水等）を密閉して管体４１〜４５内の空気の戻り移動時にも従動シリンダ３１〜３５内の従動ピストンを作動させる構造としても良い。
【００２９】
このような構造の駆動装置によれば、特に、女性等の細身の人体や動物の、四肢や頭部、尻尾等を可動させる際に、細身の可動体の意匠性を損なうことなく、適切に維持したまま可動させることができる。
また、可撓性を有する管体を用いることにより、可動表示機構と駆動機構とを、遊技機内において比較的離して配設することができる。例えば、駆動機構を、通常遊技領域の中央位置に設けられる表示器の後方に配設し、可動表示機構を遊技領域の外周位置に配設されるサイドチャッカー等に形成して、これらの間を、可撓性を有する管体により連結させることで、適切に可動表示機構を駆動させることができる。
【００３０】
（その他の実施形態）
上記実施形態では可動表示機構を人型ギミックとしたが、これに限られるものではない。またギミックに限られるものでもない。
上記実施形態では連動部材をピストン片に当接するカム片としたが、ピストン片とカム片を連結するリンク機構を使用しても良い。
上記実施形態では管体を可撓性のある樹脂材で構成したが、可撓性の無い金属材等で構成しても本発明の効果は得られる。
また上記実施形態では管体内の流体は空気としたが、水等を封入しても良い。
上記実施形態ではギミック身体部等の戻り揺動を自重等で行ったが、戻り用のばね部材等を設けても良い。
【符号の説明】
【００３１】
Ｅ…遊技機、１…ギミック（可動表示機構）、１１…身体部（可動部）、１２，１３…腕部（可動部）、１４，１５…脚部（可動部）、３１，３２，３３，３４，３５…従動シリンダ（従動部材）、４１，４２，４３，４４，４５…管体、５…駆動機構（駆動手段）、５１，５２，５３，５４，５５…ピストン部材、５８…回転軸、５９…カム片（連動部材）、６４…回転駆動モータ（回転駆動部）。
【図１】
2019034061.tif 000003
【図２】
2019034061.tif 000004
【図３】
2019034061.tif 000005
【図４】
2019034061.tif 000006
【図５】
2019034061.tif 000007
【図６】
2019034061.tif 000008
【図７】
2019034061.tif 000009
【図８】
2019034061.tif 000010